(57)【要約】【課題】複数パターンの吐水流を的確に吐水可能な吐水装置を提供する。【解決手段】吐水装置は、複数の吐水孔４８ａを有し、第１パターンの吐水流を吐水する第１吐水部４８と、第１吐水部４８の下流側に設けられ、少なくとも１つの吐水孔５０ａを有し、第１パターンの吐水流を第２パターンの吐水流に変換可能に構成された第２吐水部５０と、を備える。第１吐水部４８と第２吐水部５０とは、第２吐水部５０から第１パターンの吐水流を吐水可能な第１位置関係と、第１吐水部４８からの第１パターンの吐水流が第２吐水部５０により第２パターンの吐水流に変換されて吐水される第２位置関係との間で位置関係を切り替え可能に構成される。吐水装置はさらに、第１吐水部４８と第２吐水部５０とが第２位置関係にあるときに、第１吐水部４８からの吐水流の一部が第２吐水部５０の第１吐水部４８側の面５０ｃに沿って流れるように誘導する誘導部６０を備える。【選択図】図３
2019031784.tif 000002
【特許請求の範囲】
【請求項１】
複数の吐水孔を有し、第１パターンの吐水流を吐水する第１吐水部と、
前記第１吐水部の下流側に設けられ、少なくとも１つの吐水孔を有し、前記第１パターンの吐水流を前記第１パターンとは異なる第２パターンの吐水流に変換可能に構成された第２吐水部と、を備える吐水装置であって、
前記第１吐水部と前記第２吐水部とは、前記第２吐水部から前記第１パターンの吐水流を吐水可能な第１位置関係と、前記第１吐水部からの前記第１パターンの吐水流が前記第２吐水部により前記第２パターンの吐水流に変換されて吐水される第２位置関係との間で位置関係を切り替え可能に構成され、
当該吐水装置はさらに、前記第１吐水部と前記第２吐水部とが前記第２位置関係にあるときに、前記１吐水部からの吐水流の一部が前記第２吐水部の前記第１吐水部側の面に沿って流れるように誘導する誘導部を備えることを特徴とする吐水装置。
【請求項２】
前記第１吐水部は、前記第１吐水部と前記第２吐水部とが前記第２位置関係にあるときに、当該第１吐水部から吐水された吐水流の一部が、前記誘導部に当たるように構成されていることを特徴とする請求項１に記載の吐水装置。
【請求項３】
前記第１吐水部を環囲する筒部を備え、
前記筒部の下流側の端部には、その内周側に、前記第２吐水部と前記第２吐水部を環囲する前記誘導部とが設けられており、
前記第１吐水部は、当該第１吐水部から吐水された吐水流の一部が、前記筒部の内壁に直接当たるように構成されていることを特徴とする請求項１または２に記載の吐水装置。
【請求項４】
前記誘導部は、前記第２吐水部の吐水方向と実質的に直交する環状の平坦面を有することを特徴とする請求項１から３のいずれかに記載の吐水装置。
【請求項５】
前記第２吐水部の前記少なくとも１つの吐水孔は、上流側の開口よりも下流側の開口が大きいことを特徴とする請求項１から４のいずれかに記載の吐水装置。
【発明の詳細な説明】
【技術分野】
【０００１】
本発明は、吐水装置に関する。
【背景技術】
【０００２】
従来、複数パターンの吐水流を吐水可能な吐水装置が知られている。例えば特許文献１には、給水される流路を、シール部材によってシャワー吐水の流路とストレート吐水の流路との間で切り替えることにより、複数パターンの吐水流を吐水させる吐水装置が開示されている。
【先行技術文献】
【特許文献】
【０００３】
【特許文献１】特開２００８−３０３６５８号公報
【発明の概要】
【発明が解決しようとする課題】
【０００４】
特許文献１に記載されるような従来の吐水装置では、シール部材が流路を切り替える弁の役割を担っているため、シール部材が劣化したり、ごみ詰まり等でシール部材の機能が低下したりすると、給水される流路を切り替えられなくなり、吐水流のパターンを切り替えられなくなる場合がある。弁を用いなければこの問題は生じないが、弁を用いずに複数パターンの吐水流のそれぞれを的確に実現することはそれほど簡単ではない。
【０００５】
本発明はこうした状況に鑑みてなされたものであり、その目的は、複数パターンの吐水流を的確に吐水可能な吐水装置の提供にある。
【課題を解決するための手段】
【０００６】
上記課題を解決するために、本発明のある態様の吐水装置は、複数の吐水孔を有し、第１パターンの吐水流を吐水する第１吐水部と、第１吐水部の下流側に設けられ、少なくとも１つの吐水孔を有し、第１パターンの吐水流を第１パターンとは異なる第２パターンの吐水流に変換可能に構成された第２吐水部と、を備える吐水装置であって、第１吐水部と第２吐水部とは、第２吐水部から第１パターンの吐水流を吐水可能な第１位置関係と、第１吐水部からの第１パターンの吐水流が第２吐水部により第２パターンの吐水流に変換されて吐水される第２位置関係との間で位置関係を切り替え可能に構成され、当該吐水装置はさらに、第１吐水部と第２吐水部とが第２位置関係にあるときに、１吐水部からの吐水流の一部が第２吐水部の第１吐水部側の面に沿って流れるように誘導する誘導部を備える。
【発明の効果】
【０００７】
本発明によれば、複数パターンの吐水流を的確に吐水可能な吐水装置を提供できる。
【図面の簡単な説明】
【０００８】
【図１】実施の形態に係る吐水装置の設置状態を示す側面図である。
【図２】実施の形態に係る吐水ユニットの構成図である。
【図３】図３（ａ）、（ｂ）は、図１の吐水ヘッドの断面図である。
【図４】図４（ａ）、（ｂ）は、変形例に係る吐水ヘッドの断面図である。
【図５】図５（ａ）、（ｂ）はそれぞれ、吐水ヘッドの断面図である。
【図６】第２吐水部および誘導部を吐水方向から見た図である。
【図７】図７（ａ）、（ｂ）は、別の変形例に係る吐水ヘッドの断面図である。
【発明を実施するための形態】
【０００９】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１０】
図１は、実施の形態に係る吐水装置１２を備える吐水ユニット１０の設置状態を示す側面図である。図２は、吐水装置１２を備える吐水ユニット１０の構成図である。図２では、水路を破線で示す。本実施の形態の吐水ユニット１０は水栓として機能する。
【００１１】
吐水ユニット１０は、吐水装置１２と、温度調節弁１６と、流量調節弁１８と、電気駆動弁２０と、制御部２２と、を備える。
【００１２】
吐水装置１２はキッチン等の流し台１４に設置される。温度調節弁１６、流量調節弁１８、電気駆動弁２０は、吐出流路２４に設置される。温度調節弁１６、流量調節弁１８、電気駆動弁２０は特に、この順に上流側から並ぶ。また、これらは、流し台１４の裏側（下側）１４ｂに設けられる。
【００１３】
吐水装置１２は、支持部材４０と、吐水管４２と、第１センサ部材２８と、第２センサ部材３０と、吐水ヘッド２６と、第１操作部材３２と、第２操作部材３４と、を備える。
【００１４】
支持部材４０は、流し台１４に固定される。吐水管４２は、支持部材４０により支持される。吐水管４２は、いわゆるグースネック状をなしている。本実施の形態の吐水管４２は金属を素材として構成される。第１センサ部材２８、第２センサ部材３０はそれぞれ、光学センサすなわち非接触式センサであり、所定の検知エリア内での物体の有無を検知する。第１センサ部材２８は、吐水管４２の先端側に検知エリアを有する。第２センサ部材３０は、吐水管４２の外周側に検知エリアを有する。吐水ヘッド２６は、吐水管４２の先端側（支持部材４０とは反対側）に設けられる。吐水ヘッド２６は、給水源から吐出流路２４等を通して送られる水を吐水する。第１操作部材３２は、温度調節弁１６を操作するための操作部材である。第２操作部材３４は、流量調節弁１８を操作するための操作部材である。
【００１５】
温度調節弁１６は湯水混合弁であり、第１操作部材３２に対する操作に応じて、給湯流路１６ａから供給される温水と給水流路１６ｂから供給される冷水の混合比を調節する。これにより、吐出流路２４を流れる水の温度、ひいては吐水ヘッド２６から吐水される水の温度が調節される。
【００１６】
流量調節弁１８は、第２操作部材３４に対する操作に応じて、弁部の開度を調節する。これにより、吐出流路２４を流れる水の流量、ひいては吐水ヘッド２６から吐水される水の流量が調節される。
【００１７】
電気駆動弁２０は、電磁弁、電動弁等であり、吐出流路２４を開閉する。電気駆動弁２０が開くと、温度および流量が調節された水が吐出流路５８に供給され、吐水ヘッド２６から吐水される。電気駆動弁２０が閉じると、水が吐出流路２４に供給されなくなり、吐水ヘッド２６からの吐水が停止する。
【００１８】
制御部２２は、ワンチップマイクロコンピュータ等であり、ＣＰＵ、ＲＡＭ、ＲＯＭ等を組み合わせて構成される。本実施の形態の制御部２２は、吐水装置１２に組み込まれる。制御部２２は、第１センサ部材２８や第２センサ部材３０の検知結果に応じて電気駆動弁２０を開閉する。つまり、本実施の形態の吐水装置１２は、ハンズフリーで吐水ヘッド２６からの吐水の有無を切り替えることができる。
【００１９】
図３（ａ）、（ｂ）は、吐水ヘッド２６の断面図である。吐水ヘッド２６は、第１筒部４４と、第２筒部４６と、第１吐水部４８と、第２吐水部５０と、誘導部６０と、を含む。図３（ａ）は、第１吐水部４８と第２吐水部５０とが第１パターンの吐水流を吐水する第１位置関係にある状態を示し、図３（ｂ）は、第１吐水部４８と第２吐水部５０とが第１パターンとは異なる第２パターンの吐水流を吐水する第２位置関係にある状態を示す。
【００２０】
本実施の形態では、第１パターンの吐水流は拡散シャワー状の吐水流であり、第２パターンの吐水流はストレートシャワー状の吐水流またはストレート吐水流である。ストレート吐水流は、単数の水流として吐水された吐水流をいう。
【００２１】
第１筒部４４は筒状をなす。第１筒部４４の内側は水路５２を構成する。水路５２は、上流側から送られてきた水を第１吐水部４８に導く。
【００２２】
第１吐水部４８は、板状をなし、第１筒部４４の下流側の端部に第１筒部４４と一体に設けられている。第１吐水部４８には、表裏を貫通する複数の吐水孔（シャワー吐水孔）４８ａが形成されている。
【００２３】
複数の吐水孔４８ａのそれぞれは、単一の線状の水流を吐き出すように構成される。吐水孔４８ａは特に、外向きに広がる方向に、別の言い方をすると下流側ほど外側に位置するように延在する。そのため、第１吐水部４８に供給された水は、外向きに広がる拡散シャワー状に吐水される。
【００２４】
第２筒部４６は筒状をなす。第２筒部４６は、第１吐水部４８と、第１筒部４４の少なくとも一部とを環囲する。
【００２５】
第２吐水部５０は、第１吐水部４８と同様に板状をなす。第２吐水部５０は、第２筒部４６の下流側に、誘導部６０を介して第２筒部４６と一体に設けられている。第２吐水部５０には、表裏を貫通する複数の吐水孔５０ａが形成されている。本実施の形態では、第２吐水部５０には、第１吐水部４８の吐水孔４８ａと同数の吐水孔５０ａが形成されている。各吐水孔５０ａは、互いに平行に延在する。なお、以下では、吐水孔５０ａが延在する方向を第２吐水部の吐水方向とよぶ。
【００２６】
第１吐水部４８の複数の吐水孔４８ａおよび第２吐水部５０の複数の吐水孔５０ａは、第１吐水部４８と第２吐水部５０とが第１位置関係にあるとき、すなわち第１吐水部４８と第２吐水部５０とがほぼ隙間なく重なり合った状態のとき、第１吐水部４８の各吐水孔４８ａの下流側と第２吐水部５０の各吐水孔５０ａの上流側とが対向するように形成されている。より具体的には、第２吐水部５０の各吐水孔５０ａは、第１吐水部４８の各吐水孔４８ａの下流側の開口よりも大きな孔径を有するように形成されている。また、第２吐水部５０の各吐水孔５０ａは、第１吐水部４８の各吐水孔４８ａの延長線が第２吐水部５０に重ならないように形成されている。
【００２７】
誘導部６０は、第１吐水部４８と第２吐水部５０とが第２位置関係にあるときに、第１吐水部４８から吐水された水の一部が、第２吐水部５０の上流側（すなわち第１吐水部４８側）の面５０ｃに沿って面５０ｃの中央部に向かって流れるように誘導する。本実施の形態では、誘導部６０は、第１吐水部４８から吐水された水を、第２吐水部５０の吐水方向に直交する方向に誘導する。
【００２８】
具体的には、本実施の形態の誘導部６０は、第２吐水部５０を環囲する環状部であり、第２吐水部５０の外周側に第２吐水部５０と一体に設けられる。別の言い方をすると、誘導部６０は、第２筒部４６の下流側の端部において第２筒部４６の内壁から径方向内側に突出した環状の突出部である。誘導部６０は、その上流側に、環状の平坦面６０ａを有する。この平坦面６０ａは、吐水方向と直交するすなわち吐水方向をその法線方向とする。
【００２９】
第２吐水部５０は、不図示の移動機構により、第１吐水部４８と近接した位置と、第１吐水部４８から離間した位置との間を移動可能に構成される。本実施の形態では、第２吐水部５０は、吐水方向に移動可能に構成される。なお、第１吐水部４８が移動可能に構成されてもよい。つまり、第１吐水部４８と第２吐水部５０とは、相対的に移動することにより、第１位置関係と第２位置関係との間で位置関係が切り替えられればよい。
【００３０】
第１吐水部４８と第２吐水部５０とが第１位置関係にあるとき、すなわち第１吐水部４８と第２吐水部５０とがほぼ隙間なく重なったとき、第１吐水部４８から吐水された拡散シャワー状の吐水流は、第２吐水部５０に当たることなく、そのまま第２吐水部５０の吐水孔５０ａを通過し、拡散シャワー状の吐水流として外部に吐水される。
【００３１】
第１吐水部４８と第２吐水部５０とが第２位置関係にあるとき、すなわち第１吐水部４８と第２吐水部５０とが所定の距離だけ離間した状態にあるとき、第１吐水部４８から吐水された拡散シャワー状の吐水流の少なくとも一部が誘導部６０の平坦面６０ａに当たり、平坦面６０ａひいては面５０ｃに沿って面５０ｃの中央部に向かって流れるように水が誘導され、その結果、面５０ｃ上に水膜が形成される。拡散シャワー状の吐水流の他の一部がこの水膜に当たって跳ね返り、跳ね返った水が第１吐水部４８と第２吐水部５０との間の水室５４に溜まり、溜まった水が吐水孔５０ａから吐水される。上述したように吐水孔５０ａは吐水方向に延在するため、水室５４に溜まった水は吐水孔５０ａからストレートシャワー状の吐水流あるいはストレート吐水流として吐水される。つまり、拡散シャワー状の吐水流が、それとは異なるパターンの吐水流に変換されて外部に吐水される。
【００３２】
以上説明した本実施の形態に係る吐水装置１２によると、第１吐水部４８と第２吐水部５０とが第１位置関係にあるとき、第１吐水部４８から吐水された拡散シャワー状の吐水流は、第２吐水部５０に当たることなく、そのまま第２吐水部５０の吐水孔５０ａを通過し、拡散シャワー状の吐水流として外部に吐水される。すなわち、第１パターンの吐水流を的確に吐水できる。また、第１吐水部４８と第２吐水部５０とが第２位置関係にあるとき、水室５４に水が溜まり、溜まった水が第２吐水部５０の吐水孔５０ａから吐水される。そのため、第２吐水部５０のすべての吐水孔５０ａから吐水される。すなわち、第２パターンの吐水流を的確に吐水できる。特に、吐水量（流量）が少ない場合であっても第２パターンの吐水流を的確に吐水できる。つまり、本実施の形態に係る吐水装置１２によると、複数パターンの吐水流を的確に吐水できる。
【００３３】
以上、実施の形態に係る吐水装置について説明した。この実施の形態は例示であり、各構成要素の組み合わせにいろいろな変形例が可能なこと、またそうした変形例も本発明の範囲にあることは当業者に理解されるところである。
【００３４】
（変形例１）
実施の形態では、第２吐水部５０には、第１吐水部４８の吐水孔４８ａと同数の吐水孔５０ａが形成される場合について説明したが、これに限られない。
【００３５】
例えば第２吐水部５０には、第１吐水部４８の吐水孔４８ａよりも多数の吐水孔５０ａが形成されてもよい。この場合も、第１吐水部４８と第２吐水部５０とが第２位置関係にあるときには、第１吐水部４８から吐水された拡散シャワー状の吐水流の一部が誘導部６０に当たることによって水膜が形成され、拡散シャワー状の吐水流の他の一部がこの水膜に当たって跳ね返り、跳ね返った水が水室５４に溜まり、溜まった水がすべての吐水孔５０ａから吐水され、所望のパターンの吐水流を実現できる。
【００３６】
この変形例によれば、実施の形態に係る吐水装置１２によって奏される作用効果と同様の作用効果を奏することができる。
【００３７】
また例えば第２吐水部５０には、第１吐水部４８の吐水孔４８ａよりも少数の吐水孔５０ａが形成されてもよい。図４（ａ）、（ｂ）は、変形例に係る吐水ヘッド２６の断面図である。図４（ａ）、（ｂ）はそれぞれ、図３（ａ）、（ｂ）に対応する。本変形例では、第２吐水部５０には、大きな吐水孔５０ａが１つだけ形成されている。この場合も、第１吐水部４８と第２吐水部５０とが第２位置関係にあるときには、第１吐水部４８から吐水された拡散シャワー状の吐水流の一部が誘導部６０に当たることによって水膜が形成され、拡散シャワー状の吐水流の他の一部がこの水膜に当たって跳ね返り、跳ね返った水が水室５４に溜まり、溜まった水が１つの吐水孔５０ａから、シャワー状の複数の水流ではなく、ストレート状の単数の水流として吐水される。
【００３８】
また、図４（ａ）、（ｂ）の例では、第１吐水部４８の吐水孔４８ａは、第１吐水部４８と第２吐水部５０とが第２位置関係にあるときに吐水孔４８ａから吐水された水の一部が第２筒部４６の内壁に直接当たるように構成されている。具体的には、第１吐水部４８の吐水孔４８ａは、第１吐水部４８と第２吐水部５０とが第２位置関係にあるときに、吐水孔４８ａの延長線が第２筒部４６の内壁と交わるように構成されている。これにより、第２筒部４６の内壁、誘導部６０の平坦面６０ａ、そして第２吐水部５０の面５０ｃの中央部へと向かう水の流れができ、面５０ｃ上に水膜ができやすくなる。
【００３９】
この変形例によれば、実施の形態に係る吐水装置１２によって奏される作用効果と同様の作用効果を奏することができる。加えて、この変形例によれば、第２吐水部５０の形状が比較的単純になるため、第２吐水部５０の製造コストが下がる。また、第１吐水部４８と第２吐水部５０との間にごみが溜まりにくくなり、メンテナンスの回数が減るあるいは不要となる。
【００４０】
（変形例２）
誘導部６０の形状には様々な変形例が考えられる。図５（ａ）、（ｂ）はそれぞれ、吐水ヘッドの断面図である。図５（ａ）、（ｂ）では、第１吐水部４８および第１筒部４４の表示は省略している。
【００４１】
図５（ａ）では、第２筒部４６の下流側の端部の内周側に、径方向外側に凹む環状の凹部４６ａが形成されている。誘導部６０は、この凹部４６ａと軸方向で対向する。第２吐水部５０の外周面は、第２筒部４６の内周面と略同一の径を有する。本変形例によれば、実施の形態に係る吐水装置１２によって奏される作用効果と同様の作用効果を奏することができる。加えて、本実施の形態に係る吐水装置１２によると、第２吐水部５０の外周面は、第２筒部４６の内周面と略同一の径を有する、すなわち第２吐水部５０の有効面積を比較的大きくすることができる。
【００４２】
図５（ｂ）では、第２筒部４６に、水室５４の上流側と下流側とを連通するバイパス流路である誘導部６０が形成されている。第１吐水部４８から吐水されたシャワー状のと水流の一部は、誘導部６０の上流側から誘導部６０に流れ込んで下流側から流れ出る。誘導部６０は特に、誘導部６０から流れ出る水が面５０ｃに沿って面５０ｃの中央部に向かうように構成される。加えて、本実施の形態に係る吐水装置１２によると、流路である誘導部６０により、より確実に面５０ｃに沿って面５０ｃの中央部に向かう水の流れを形成でき、面５０ｃ上により確実に水膜を形成できる。
【００４３】
（変形例３）
実施の形態では特に言及しなかったが、第１吐水部４８と第２吐水部５０とが第２位置関係にあるときに、ストレートシャワー状の吐水流ではなく、ストレート吐水流を実現するための構成について説明する。
【００４４】
図６は、第２吐水部５０および誘導部６０を吐水方向から見た図である。図６では、複数の吐水孔５０ａのそれぞれは、少なくとも１つの他の吐水孔５０ａとの距離Ｌが０．４５ｍｍ以下となるように形成される。すなわち、複数の吐水孔５０ａのそれぞれは、最も近接する他の吐水孔５０ａとの距離が０．４５ｍｍ以下となるように形成される。この場合、各吐水孔５０ａから吐水された水は、少なくとも近接する吐水孔５０ａから吐水された水と引き合って合流して１つの流れとなる。これにより、複数の吐水孔５０ａから吐水された水がすべてまとまって単数の流れ、すなわちストレート吐水流を形成しやすくなる。
【００４５】
（変形例４）
図７（ａ）、（ｂ）は、別の変形例に係る吐水ヘッドの断面図である。図７（ａ）、（ｂ）はそれぞれ、図３（ａ）、（ｂ）に対応する。本変形例では第２吐水部５０の複数の吐水孔５０ａはそれぞれ、下流側の開口５０ｄが上流側の開口５０ｅよりも大きくなるように形成されている。図示の例では特に、第２吐水部５０の複数の吐水孔５０ａはそれぞれ、下流側ほど拡がるように、より具体的には下流側ほど断面積が大きくなるように形成されている。なお、上流側の開口５０ｅは、第１吐水部４８の吐水孔４８ａの下流側の開口４８ｂと同じ大きさであってもよい。
【００４６】
本変形例によれば、上流側の開口５０ｅが下流側の開口５０ｄよりも小さいため、それらが同程度の場合と比べ、第１吐水部４８と第２吐水部５０とが第２位置関係にあるときに水室５４に水が溜まりやすく、第２吐水部５０のすべての吐水孔５０ａから吐水されやすい。特に、吐水量（流量）が少ない場合であっても、第２吐水部５０のすべての吐水孔５０ａから吐水されやすい。また、本変形例によれば、下流側の開口５０ｄが上流側の開口５０ｅよりも大きいため、言い換えると下流側の開口５０ｄが比較的広いため、さらに言い換えると下流側では吐水孔５０ａの開口５０ｄ同士の距離が比較的短くなるため、第１吐水部４８と第２吐水部５０とが第２位置関係にあるときに、吐水孔５０ａから吐水された水は隣接する吐水孔５０ａから吐水された水とまとまりやすい。つまり、ストレート吐水流を形成しやすい。
このように、本変形例によれば、第２パターンの吐水流としてのストレート吐水流を的確に形成できる吐水装置を実現できる。
【００４７】
上述した実施の形態および変形例の任意の組み合わせもまた本発明の実施の形態として有用である。組み合わせによって生じる新たな実施の形態は、組み合わされる実施の形態および変形例それぞれの効果をあわせもつ。また、請求項に記載の各構成要件が果たすべき機能は、実施の形態および変形例において示された各構成要素の単体もしくはそれらの連係によって実現されることも当業者には理解されるところである。
【００４８】
以上の記載から、下記の発明が認識される。
本発明のある態様の吐水装置は、複数の吐水孔を有し、第１パターンの吐水流を吐水する第１吐水部と、第１吐水部の下流側に設けられ、少なくとも１つの吐水孔を有し、第１パターンの吐水流を第１パターンとは異なる第２パターンの吐水流に変換可能に構成された第２吐水部と、を備える吐水装置であって、第１吐水部と第２吐水部とは、第２吐水部から第１パターンの吐水流を吐水可能な第１位置関係と、第１吐水部からの第１パターンの吐水流が第２吐水部により第２パターンの吐水流に変換されて吐水される第２位置関係との間で位置関係を切り替え可能に構成され、当該吐水装置はさらに、第１吐水部と第２吐水部とが第２位置関係にあるときに、１吐水部からの吐水流の一部が第２吐水部の第１吐水部側の面に沿って流れるように誘導する誘導部を備える。
【００４９】
この態様によると、第１吐水部と第２吐水部とが第２位置関係にあるときに、第１吐水部からの吐水流の一部が誘導部に当たって第２吐水部の第１吐水部側の面に沿って水膜が形成され、第１吐水部からの吐水流の他の一部がこの水膜に当たって跳ね返り、跳ね返った水が第１吐水部と第２吐水部との間に溜まり、溜まった水が第２吐水部のすべての吐水孔から吐水される。つまり、第１パターンに加えて第２パターンの吐水流を的確に形成することができる。
【００５０】
第１吐水部は、第１吐水部と第２吐水部とが第２位置関係にあるときに、当該第１吐水部から吐水された吐水流の一部が、誘導部に当たるように構成されていてもよい。
【００５１】
第１吐水部を環囲する筒部を備えてもよい。筒部の下流側の端部には、その内周側に、第２吐水部と第２吐水部を環囲する誘導部とが当該筒部と一体に設けられており、第１吐水部は、当該第１吐水部から吐水された吐水流の一部が、筒部の内壁に直接当たるように構成されていてもよい。この場合、筒部の内壁、誘導部、第２吐水部の第１吐水部側の面の中央部へと向かう水の流れができ、確実に水膜を形成することができ、その結果より的確に所望のパターンの吐水流を吐水することができる。
【００５２】
誘導部は、第２吐水部の吐水方向と実質的に直交する環状の平坦面を有してもよい。
【００５３】
第２吐水部の少なくとも１つの吐水孔は、上流側の開口よりも下流側の開口が大きい。この場合、第２パターンの吐水流としてのストレート吐水流を的確に形成できる
【符号の説明】
【００５４】
１２  吐水装置、  ４８  第１吐水部、  ４８ａ  吐水孔、  ５０  第２吐水部、  ５０ａ  吐水孔、  ５０ｃ  面、  ６０  誘導部。
【図１】
2019031784.tif 000003
【図２】
2019031784.tif 000004
【図３】
2019031784.tif 000005
【図４】
2019031784.tif 000006
【図５】
2019031784.tif 000007
【図６】
2019031784.tif 000008
【図７】
2019031784.tif 000009